(57)【要約】【課題】利用者の体形にとらわれず簡便に使用できて、臀部から腰部にかけての補整とこれに伴う血行促進を図ることができる骨盤クッションを提供する。【解決手段】基板部２の中央軸線Ｃを挟んで両側に、その中央軸線Ｃに向かって膨出する所要高さ寸法のクッション性を具備する横支持体６，６′が所要空間を形成して一対付設され、前記両横支持体６，６′の一端部と相互に隣接して前記基板板２の中央軸線Ｃ上にクッション性を具備した後部支持体１０が設けられ、これら両横支持体６，６′と後部支持体１０とで利用者の臀部を受支する構成とされる。【選択図】図２
2008073276.tif 000002
【特許請求の範囲】
【請求項１】
基板部の中央軸線を挟んで両側に、その中央軸線に向かって膨出する所要高さ寸法のクッション性を具備する横支持体が間に空間部を形成して一対付設され、前記両横支持体の一端部と相互に隣接して前記基板部の中央軸線上にクッション性を具備した後部支持体が設けられ、これら両横支持体と後部支持体とで着座した人の臀部を受支する構成とされることを特徴とする骨盤クッション。
【請求項２】
前記横支持体は、前記基板部のフレームと連結されて上方に延びるフレームを基準にして上表面が曲面を形成する形状で、その曲面状の内部に弾性材にてなるクッション部材を収容して可撓シートで外被縫合形成されている請求項１に記載の骨盤クッション。
【請求項３】
前記両横支持体間に形成される空間部は、その両横支持体の曲面形状表面の下向き曲面部位にて着座した人の臀部が両側から受支される間隔とされる請求項１に記載の骨盤クッション。
【請求項４】
前記後部支持体は、前記基板部のフレームと連結されて上方に延びるフレームを基準にして上表面が曲面を形成する形状で、その曲面状内部に弾性材にてなるクッション部材を収容して可撓シートで外被縫合形成され、高さ寸法が前記横支持体よりも高く形成されている請求項１に記載の骨盤クッション。
【請求項５】
前記横支持体および後部支持体は、前記基板部に対して連結部で複数段にて角度調整して変位できる構成である請求項１〜３のいずれかに記載の骨盤クッション。
【請求項６】
前記横支持体および後部支持体の内部にはバイブレータおよび／またはヒータが設けられている請求項１〜５のいずれかに記載の骨盤クッション。
【発明の詳細な説明】
【技術分野】
【０００１】
本発明は、着座使用することにより腰椎や骨盤部の補整機能を発揮することが可能な骨盤クッションに関するものである。
【背景技術】
【０００２】
一般に、人は日常生活において精神的ストレスのほかに身体的にも多くのストレスを受け、とりわけ事務的な労働で椅子に腰掛けて仕事する場合、どうしても姿勢を崩す体勢で作業を続けることが多い。そのために、着座姿勢が悪いと腰部や骨盤部に変則的な力が働いて疲労感を高めることになり、この状態が長期にわたると腰部や骨盤部に異常を来たし腰痛などの障害が発生する。また、多くの人は、その日常活動における大部分を座る行為が占めている。しかしながら、着座姿勢は、臀部から腰部に大きく変則的な負荷がかかる体勢をとっていることが多く、加齢とともに腰痛などを引起す一因となっている。
【０００３】
このようなことから、身体に作用するストレスによる変調を外部からの刺激手段によって緩和し、リラックス効果を得ようとする着座部や背もたれを備えたリラックスチェアが特許文献１によって知られている。このリラックスチェアでは、座部や背もたれ部に流動物体を媒体として収容した袋体を配置して、その媒体にポンプなどの加圧手段で流動性を与えて振動させ、利用者の身体に前記袋体を接触させて外部から適度な刺激を加え、リラックス効果が得られるようにされている。
【０００４】
また、前記体勢の変化に伴って腰部や骨盤部周りの筋肉群の緊張による血行不良などを緩和して疲労の回復と調整を図るために、椅子の着座部両脇に流体で膨らませることができるクッションを配置し、ポンプなどの加圧手段によって前記クッションを膨らませ、椅子に着座した人（利用者）の腰部から臀部を両側からクッションで挟み付けるようにして調整するようにしたものが特許文献２によって提案されている。このほかに、椅子の着座部を着座した人の身体中心位置を軸として左右の方向に交互に傾動させるようにして人体の骨盤部を運動させ、血行を促進させようとする座席について特許文献３によって提案されている。さらに、例えば、非特許文献１によって知られるようなチェアでは、チェアの座部両脇に内側へ膨らみを持つ肘掛状の部位が左右一対設けられ、着座した利用者の臀部から腰部をその膨らみを持つ左右の部位で包み込むようにして両側から挟みつけ、骨盤部から臀部を引き締めることにより骨盤から腰椎部分を補整するように構成されている。
【０００５】
【特許文献１】特開２００１−１１２５６５号公報
【特許文献２】特開２００２−３６０３７６号公報
【特許文献３】特表２００２−５０７９００号公報
【非特許文献１】楽天市場  "スリムチェア"〔ｏｎｌｉｎｅ〕〔平成１８年９月１日検索〕インターネット＜URL:http://www.rakuten.co.jp/ikoi/744203/781248/#791059＞
【発明の開示】
【発明が解決しようとする課題】
【０００６】
前述の先行技術における特許文献１によって知られるリラックスチェアは、人体の下半身に刺激を与えて緊張を緩和させようとするものであるから、有効であることは認められるが、流動物を袋体に収容して、ポンプなどの加圧手段を用いてその流動物を加圧するものであるから、破損などを防止するについて部分的ではあるが頑丈な構造が必要で、全体としても構造的に複雑化することから高価になるという問題点がある。また、前記特許文献２によって知られるクッションを備えた椅子にあってもクッションを流体で膨らませるものであるから、流体の加圧手段としての動力部を必要とし、流体の漏洩が生じないようにする構造が求められるのでやはり高価になるという問題点がある。
【０００７】
一方、特許文献３によって知られる傾動する座席については、その傾動のために少なくとも二個の位置調整要素（上下動を起こさせる装置）が必要で、その位置調整要素を交互に上下変動させるための動力を要するので、このものも構造的に複雑になり高価なものとなる。しかも、着座している利用者が前記位置調整要素の作動によって着座部が左右交互に傾動するものであるから、どうしても違和感が生じて緊張をほぐすには問題がある。
【０００８】
また、非特許文献１によって知られるチェアでは、着座した利用者の臀部から腰部を左右から包み込んで挟みつける構造にされているので、その効果を得るには利用者の体形にマッチしていることが要求される。もちろん、全体的にクッション性のある部材で形成されているが、体格が大きい人の場合は窮屈な姿勢を強いられることになるので、返ってストレスが生じ目的に反する。また、逆に体格が細身である人の場合は、挟みつけの効果が乏しくて有効でないという問題がある。要するに、寸法構造が標準化されると万人共通に利用できないという点で問題がある。
【０００９】
本発明は、前述のような問題点に鑑みてなされたもので、構造を複雑化することなく、利用者の体形にとらわれず簡便に使用できて、臀部から腰部にかけての補整とこれに伴う血行促進を図ることができる骨盤クッションを提供することを目的とするものである。
【課題を解決するための手段】
【００１０】
前記目的を達成するために、本発明による骨盤クッションは、
基板部の中央軸線を挟んで両側に、その中央軸線に向かって膨出する所要高さ寸法のクッション性を具備する横支持体が間に空間部を形成して一対付設され、前記両横支持体の一端部と相互に隣接して前記基板部の中央軸線上にクッション性を具備した後部支持体が設けられ、これら両横支持体と後部支持体とで着座した人の臀部を受支する構成とされることを特徴とするものである（第１発明）。
【００１１】
前記発明において、前記横支持体は、前記基板部のフレームと連結されて上方に延びるフレームを基準にして上表面が曲面を形成する形状で、その曲面状の内部に弾性材にてなるクッション部材を収容して可撓シートで外被縫合形成されているのがよい（第２発明）。
【００１２】
前記発明において、前記両横支持体間に形成される空間部は、その両横支持体の曲面形状表面の下向き曲面部位にて着座した人の臀部が両側から受支される間隔とされるのがよい（第３発明）。
【００１３】
また、前記第１発明において、前記後部支持体は、前記基板部のフレームと連結されて上方に延びるフレームを基準にして上表面が曲面を形成する形状で、その曲面状内部に弾性材にてなるクッション部材を収容して可撓シートで外被縫合形成され、高さ寸法が前記横支持体よりも高く形成されているのがよい（第４発明）。
【００１４】
前記横支持体および後部支持体は、前記基板部に対して連結部で複数段にて角度調整して変位できる構成であるのがよい（第５発明）。また、この横支持体および後部支持体の内部にはバイブレータおよび／またはヒータが設けられているのがよい（第６発明）。
【発明の効果】
【００１５】
本発明においては、基板部上に配される左右の横支持体と基板部中央軸線上の後部支持体とで囲まれる空間部の上に、利用者（着座した人）がその空間部の開放側を前にして各支持体上に臀部をあてがうように座ると、その三つの支持体によって臀部が支持される。この際、着座した人の臀部は左右を両横支持体の内向き曲面部により受止められ、尾骨部側を後部支持体の内向き曲面部に受止められる。こうすると、着座した人は三つの支持体で臀部（尾骨部側を含む）を三点支持されるが、特に左右の横支持体の内向き傾斜する曲面部に接触することで、鉛直に作用する体重の分力により両横支持体の傾斜する曲面に沿って空間部に向かって滑り込むようになる。したがって、その反作用で臀部から大腿部上半にかけては、左右横支持体により挟み付けられるような作用力を受けることになる。この際、尾骨部側には後部支持体の下がり曲面部による働きで臀部を空間部に押下げる作用力が生じて着座姿勢を正常に安定維持させるように機能する。なお、各支持体は着座部位がすべてクッション性を備えているので、ソフトに受止めて違和感を与えることがない。
【００１６】
本発明によれば、前述のように三つのクッション性を備える支持体上に着座することで、自身の体重をそのまま利用して臀部から大腿部上半を両外側から両横支持体により挟み込まれるようになり、無理なく骨盤周りの筋肉を引き締めて血行を促進する機能を発揮させ、疲労感の解消を図ることができる。併せて腰部の姿勢を補整するのに役立てられる、という効果を奏するのである。
【００１７】
また、本発明によれば、三方に配した内向き曲面部位で着座する人の臀部を受止めるように構成されるので、利用者の体格に関係なく使用して同様の作用効果を発揮することができる。したがって、一機種でもって体格の異なる人が利用することができるという利点がある。また、支持体内にバイブレータを内蔵させておけば、そのバイブレータを選択的に作動させることで、振動を着座部に付与して使用者の血行促進を一層付勢することができる。また、ヒータを支持体内に設けて、適度に加温することにより血行促進に役立て得る。
【発明を実施するための最良の形態】
【００１８】
次に、本発明による骨盤クッションの具体的な実施の形態について、図面を参照しつつ説明する。
【００１９】
図１には本実施形態の骨盤クッションの全体斜視図が示されている。図２には骨盤クッションの平面図（ａ）とその図（ａ）のＡ−Ａ視図（ｂ）が、図３には横支持体の構成断面を表す図が、それぞれ示されている。
【００２０】
この実施形態の骨盤クッション１は、所要寸法で方形に形成された平坦な基板部２と、この基板部２の左右両側に基端部を連結されて上側に膨出形成され左右対称に配される一対の横支持体６，６′と、同じく基端部を前記基板部２の後端縁に連結されて上側に膨出形成される後部支持体１０とでなり、前記左右の横支持体６，６′と後部支持体１０とによって三方を囲まれた空間部２０が基板部２の上に形成されている。
【００２１】
前記基板部２は、金属部材（例えば金属パイプ）を方形に形成してなるフレーム３を骨格として、このフレーム３をクッション部材４（たとえばウレタンフォームなど柔軟性を有する樹脂製発泡材）で囲うとともに、空間の部分にクッション部材４を充填して、外部を起毛布５（これに限定されるものではなく、通常の織物・編み物・皮革もしくは合成皮革などであってもよい。以下同様。）で被覆し、適宜高さ寸法で平坦に形成されている。
【００２２】
前記横支持体６，６′（構造は同一で外形が左右対称であるので、その一方について説明する。）は、図３に例示するように、前記基板部２のフレーム３の側部部位に周知構造のラチエットギア８を介して起立フレーム７の基端が連結されており、この起立フレーム７の前面側（前記基板部２の中央軸線Ｃに向かった側）へ大きく膨出した膨出支持部６ａが形成されている。この膨出支持部６ａは、上表面６ｂが曲面を形成する形状にして、その上表面６ｂを前記起立フレーム７により支持される側（外側部）から前面側へ下がる傾斜状態にされ、この上表面６ｂに隣接する周囲の表面も曲面となるように内部をクッション部材９で形成して、起立フレーム７とともにその外部を起毛布９ａ（本発明の可撓シートに対応）で被覆縫合形成されている。このようにされた横支持体６は、基板部２の中央軸線Ｃを基準にして対称に設けられる。
【００２３】
前記後部支持体１０は、前記基板部２のフレーム３の後側部位に基端を前記横支持体６，６′と同様に、図示省略するがラチエットギアを介して段階的に傾動可能に連結される起立フレーム１１に支持されて、前記横支持体６，６′とほぼ同様に膨出支持部１０ａが形成されている。この後部支持体１０は、基板部２の中央軸線Ｃ上に中心を合致させて設けてあり、前記膨出支持部１０ａの上表面が曲面を形成するようにしてクッション部材１２の表面を起毛布１３によって被覆されている。また、この後部支持体１０は、前記両横支持体６，６′の高さ寸法よりやや高い寸法ｈ（具体的には５ｃｍ程度。ただし、これに限定されない。）に形成されている。
【００２４】
また、前記横支持体６，６′および後部支持体１０には、それぞれ、その膨出支持部６ａ，１０ａの内部にバイブレータ１５が、起立フレーム７（１１）にブラケット１６を介して取付けられており、図示省略するがリード線によってコントローラを介して電源と接続されている。また、必要に応じてヒータ（図示せず）をも内蔵させておく。もちろん、ヒータはクッション部材８が熱的に損傷しない程度の発熱量のものを用いるのが好ましい。
【００２５】
このように形成される両横支持体６，６′と後部支持体１０とは、図２（ａ）で示されるように、相互に一部が接触する状態で配置されており、基板部２の周囲三方からその上側を囲うようにして、前方を開放した空間部２０が中央に形成されるようになっている。この状態で利用者Ａが着座すると、図４(ａ)（ｂ）にて示されるように、三つの支持体６，６′，１０の曲面に形成された上に臀部Ｂが受止められることになる。
【００２６】
次に、この実施形態の骨盤クッション１の使用態様について説明する。この骨盤クッション１は、基板部２を平坦な床上などに置き、予め左右両横支持体６，６′および後部支持体１０の起立状態を設定する。その横支持体６，６′の起立状態は、外側寄りに内設される起立フレーム７の上部を外部から手で掴むようにして外向きに倒す方向に移動させると、基板部２のフレーム３とその起立フレーム７との連結部に配されているラチエットギア８により複数段で間歇回動して傾動する。また、後部支持体１０も必要に応じて前記横支持体６，６′と同様にして起立状態を調整する。したがって、左右両横支持体６，６′および／または後部支持体１０を前記要領で変位させることにより、支持間隔が設定できる。
【００２７】
こうして、両横支持体６，６′の位置を設定した後、着座した人（利用者）は左右の両横支持体６，６′と後部支持体１０とによって形成される基板部２上の空間部２０に向かって図４（ａ）（ｂ）で示されるように腰を下ろす。すると、左右の横支持体６，６′の膨出支持部６ａ，６ａおよび後部支持体１０の膨出支持部１０ａにおける内側へ傾斜する曲面を形成する上表面６ｂ、６ｂ、１０ｂに、臀部Ｂが受止められて着座することになる。
【００２８】
こうすると、両横支持体６，６′と後部支持体１０は、いずれも膨出支持部６ａ，６ａ，１０ａがクッション部材９，１２を内蔵されているので、そのクッション部材９，１２によって緩衝されて身体を受止められる。同時に、受止められた身体（臀部Ｂ）は、支持されている各支持体６，６′の膨出支持部６ａ，６ａの上表面６ｂ、６ｂが空間部２０の中心に向かって下がり勾配にされた曲面を形成しているので、クッション性は保たれながら自動的に受支部を空間部２０の中心に移動させようとする作用力が働くことになる。その結果、受支されている臀部Ｂが左右横支持体６，６′の膨出支持部６ａ，６ａの弾性変形による反発力で挟みつけられる状態を呈し、臀部Ｂから腰部Ｄにかけての筋肉が骨盤に向かって引き寄せられるように機能し、併せて刺激を受けて血行が促進され、着座することによって骨盤部とその周辺を引き締め調整する効果が得られることになる。なお、この際、両横支持体６，６′の膨出支持部６ａ，６ａの弾性変形による反発力で大腿部の上半部位Ｅも両側から押し付けられるようになり、当該部分の筋肉に刺激を与えることができる。また、後部支持体１０は、その高さ寸法が両横支持体６，６′よりも高くされており、かつ前述のようにその膨出支持部１０ａがクッション部材１２で形成されているから、臀部Ｂとの接触による弾性変形での反発力で、受止めた臀部Ｂの筋肉を身体の前方へ押出すような働きをして、着座時の支持安定と同時に尾骨部を持上げるように作用して着座姿勢（腰椎）を矯正するような機能を発揮し、腰部を引き締めるような効果が得られる。
【００２９】
また、本実施形態では、左右の横支持体６，６′と後部支持体１０とによって三点支持されるとともに、それぞれが基板部２上の空間部２０中心に向かって下がり傾斜となる上表面６ｂ，６ｂ，１０ｂをいずれも曲面に形成されているので、着座する人の体格が異なっても幅方向に束縛されることはなく、前記同様の機能を発揮させることができる。したがって、体格に応じた寸法形状のものを選択的に使用することもなく、多少の違いは、左右横支持体６，６′を基板部２との連結部に設けたラチエットギア８による傾動によって調整することにより適応させることができるのである。
【００３０】
また、この実施形態の骨盤クッション１において、横支持体６，６および後部支持体１０′の膨出支持部６ａ，１０ａ内にバイブレータ１５を仕込んでおけば、着座時にそのバイブレータ１５を起動させて振動を起こさせるようにすることで、着座位置から身体に振動を伝播させて刺激を与え、前記調整効果をより有効化することが可能である。またさらに、膨出支持部６ａ，１０ａにヒータを組み込むようにすれば、加温することで着座部分の血行をよくすることが可能である。
【００３１】
このほかに、前述のように、着座した状態で受支されている臀部Ｂの下側に、空間部２０が形成されているので、着座面全体がクッション体で包まれるような状態とならないので、通気性が確保されて蒸れることがない。
【００３２】
以上の実施形態の説明では、平坦な基板部に両横部支持体と後部支持体とが配置されたものであるが、その基板部を通常のチェアの座部に代えて構成することも可能であり、このような構成についても本発明の技術的範囲に属することは言うまでもない。
【図面の簡単な説明】
【００３３】
【図１】本実施形態の骨盤クッションの全体斜視図
【図２】骨盤クッションの平面図（ａ）とその図（ａ）のＡ−Ａ視図（ｂ）
【図３】横支持体の構成断面を表す図
【図４】使用態様を表わす図で、（ａ）は正面から見た態様を表わし、（ｂ）は側面から見た態様を表わす
【符号の説明】
【００３４】
１    骨盤クッション
２    基板部
３    フレーム
４，９，１２    クッション部材
６，６′    横支持体
６ａ，１０ａ    膨出支持部
７，１１    起立フレーム
８    ラチエットギア
１０    後部支持体
１５    バイブレータ
２０    空間部
Ｂ    着座した人の臀部
Ｄ    着座した人の腰部
Ｅ    着座した人の大腿部の上半部位
【図１】
2008073276.tif 000003
【図２】
2008073276.tif 000004
【図３】
2008073276.tif 000005
【図４】
2008073276.tif 000006